(57)【要約】【課題】操作者が給湯機用リモコンに関心を持つようにすることが可能な給湯機用リモコンを提供する。【解決手段】選択手段は、エコキー１０２ｃを押すエコ画面表示操作が為された場合に、予め定められた選択確率で複数の表示情報の中から一表示情報を選択し、表示手段は、その選択された一表示情報を表示部１０１のエコ画面内に表示させるので、その選択確率に基づいていろいろな表示情報が表示部１０１に表示され、その表示部１０１のエコ画面に変化を与えその変化を富ませることができる。そして、そのような変化に富んだエコ画面を操作者に見せることにより、操作者が給湯機用リモコン１０に関心を持つようにすることが可能である。更に、操作者が給湯機用リモコン１０に関心を持つようになれば、操作者が給湯機１２の操作に精通するようになり、例えば操作者が給湯機１２の適切な設定操作を容易に行うことができるようになる。【選択図】図７
2015068589.tif 000002
【特許請求の範囲】
【請求項１】
給湯機（１２）を操作するための給湯機用リモコン（１０）であって、
所定操作によって表示画面が所定画面に切り替えられる表示部（１０１）と、
文字および図形の少なくとも何れかを含んで予め定められた複数の表示情報を記憶している記憶部（２２）と、
前記所定操作が為された場合に、予め定められた選択確率（ＲＴｉ）で前記複数の表示情報の中から一表示情報を選択する選択手段（２６、Ｓ１８１〜Ｓ１８４、Ｓ１９１〜Ｓ１９４）と、
前記一表示情報を前記表示部の所定画面内に表示させる表示手段（２８、Ｓ１０７）とを備えていることを特徴とする給湯機用リモコン。
【請求項２】
前記記憶部は、前記複数の表示情報を複数の表示情報グループにグループ分けして記憶しており、
前記選択手段は、前記所定操作が為された場合に、前記複数の表示情報グループの中から予め定められたグループ選択確率（ＲＴｇ）で一表示情報グループを選択し、その選択した一表示情報グループの中から前記一表示情報を選択することを特徴とする請求項１に記載の給湯機用リモコン。
【請求項３】
前記グループ選択確率を変更する選択確率変更手段（３０、Ｓ２８１、Ｓ２９１）を備え、
前記選択手段は、前記複数の表示情報グループの各々に対して１又は２以上の選択番号が関連付けられたグループ選択用テーブルにおいて１つの選択番号を選択し、それにより前記一表示情報グループを選択し、
前記選択確率変更手段は、前記グループ選択用テーブルを変更することにより前記グループ選択確率を変更することを特徴とする請求項２に記載の給湯機用リモコン。
【請求項４】
前記給湯機の使い方と、その給湯機が消費した消費エネルギ量と、前記表示部の表示画面が前記所定画面に切り替えられた時の季節または日時とのうちの少なくとも何れかに応じて、前記グループ選択確率を変更する選択確率変更手段（３０、Ｓ２０１〜Ｓ２２０、Ｓ２８１、Ｓ２９１）を備えていることを特徴とする請求項２に記載の給湯機用リモコン。
【請求項５】
前記グループ選択確率はユーザによって予め定められることを特徴とする請求項２に記載の給湯機用リモコン。
【請求項６】
前記複数の表示情報には、前記給湯機の消費エネルギの節約を促す文言が含まれていることを特徴とする請求項１ないし５のいずれか１つに記載の給湯機用リモコン。
【発明の詳細な説明】
【技術分野】
【０００１】
本発明は、給湯機を操作するための給湯機用リモコンに関する。
【背景技術】
【０００２】
給湯機用リモコンに関する従来技術として、例えば特許文献１が開示されている。その特許文献１の給湯機用リモコンは、給湯機に関する情報を表示する表示部を備えている。この給湯機用リモコンでは、省エネルギを促すための省エネ表示が、給湯機の消費エネルギ量に基づいて表示部に表示される。そして、その省エネ表示の表示箇所および大きさは、表示部における省エネ表示以外の表示状況に応じて変更される。
【先行技術文献】
【特許文献】
【０００３】
【特許文献１】特開２０１２−１１２５５９号公報
【発明の概要】
【発明が解決しようとする課題】
【０００４】
ところで、給湯機用リモコンは例えば台所や風呂場等に設置されているが、一般的に、ユーザは給湯機用リモコンに関心をもっていないものである。このことは、特許文献１の給湯機用リモコンを用いたとして同様である。省エネ表示が表示部に表示されるものの、省エネ表示の図柄に変化がないのでユーザの関心を惹くには魅力が乏しいと考えられるからである。しかし、給湯機用リモコンを例えばユーザに十分に活用してもらうためには、ユーザである操作者が給湯機用リモコンに関心を持つようにする必要があった。
【０００５】
本発明は上記点に鑑みて、操作者が給湯機用リモコンに関心を持つようにすることが可能な給湯機用リモコンを提供することを目的とする。
【課題を解決するための手段】
【０００６】
上記目的を達成するため、請求項１に記載の発明では、給湯機（１２）を操作するための給湯機用リモコン（１０）であって、
所定操作によって表示画面が所定画面に切り替えられる表示部（１０１）と、
文字および図形の少なくとも何れかを含んで予め定められた複数の表示情報を記憶している記憶部（２２）と、
所定操作が為された場合に、予め定められた選択確率（ＲＴｉ）で複数の表示情報の中から一表示情報を選択する選択手段（２６、Ｓ１８１〜Ｓ１８４、Ｓ１９１〜Ｓ１９４）と、
一表示情報を表示部の所定画面内に表示させる表示手段（２８、Ｓ１０７）とを備えていることを特徴とする。
【０００７】
上述の発明によれば、選択手段は、所定操作が為された場合に、予め定められた選択確率で複数の表示情報の中から一表示情報を選択し、表示手段は、その選択された一表示情報を表示部の所定画面内に表示させるので、その選択確率に基づいていろいろな表示情報が表示部に表示され、その表示部の所定画面に変化を与えその変化を富ませることができる。そして、そのような変化に富んだ所定画面を操作者に見せることにより、操作者が給湯機用リモコンに関心を持つようにすることが可能である。
【０００８】
なお、この欄および特許請求の範囲で記載した括弧内の各符号は、後述する実施形態に記載した各符号に対応したものである。
【図面の簡単な説明】
【０００９】
【図１】第１実施形態の給湯機用リモコン１０とその給湯機用リモコン１０によって操作され制御される給湯機１２との構成イメージを示したブロック図である。
【図２】第１実施形態の給湯機用リモコン１０の外観図であって、獲得されたポイントが小さい場合のエコ画面が表示されている給湯機用リモコン１０の外観図である。
【図３】第１実施形態の給湯機用リモコン１０の外観図であって、獲得されたポイントが大きい場合のエコ画面が表示されている給湯機用リモコン１０の外観図である。
【図４】第１実施形態において記憶部２２に記憶され文言グループ毎に構成された文言マップである。
【図５】第１実施形態において記憶部２２に記憶され図形グループ毎に構成された図形マップである。
【図６】文言グループと図形グループとが予め定められたグループ選択確率ＲＴｇで選択されるように設定されたグループ選択用テーブルである。
【図７】第１実施形態においてリモコン制御部１０３の制御処理を示すフローチャートである。
【図８】図７のステップＳ１０１で実行されるサブルーチンである。
【図９】図７のステップＳ１０４で実行されるサブルーチンである。
【図１０】第２実施形態の給湯機用リモコン１０と給湯機１２との構成イメージを示したブロック図である。
【図１１】第２実施形態において文言グループおよび図形グループが選択される際に用いられる予め設定されたグループ選択用テーブルである。
【図１２】第２実施形態のリモコン制御部１０３の制御処理を示すフローチャートである。
【図１３】第２実施形態のリモコン制御部１０３の制御処理を示すフローチャートである。
【図１４】第２実施形態のリモコン制御部１０３の制御処理を示すフローチャートである。
【図１５】図１４のＳ２２１で実行されるサブルーチンである。
【図１６】図１４のＳ２２２で実行されるサブルーチンである。
【図１７】第３実施形態の給湯機用リモコン１０と給湯機１２との構成イメージを示したブロック図である。
【図１８】第３実施形態のリモコン制御部１０３の制御処理を示すフローチャートである。
【発明を実施するための形態】
【００１０】
以下、本発明の実施形態について図に基づいて説明する。なお、以下の各実施形態相互において、互いに同一もしくは均等である部分には、図中、同一符号を付してある。
【００１１】
（第１実施形態）
図１は、本実施形態の給湯機用リモコン１０とその給湯機用リモコン１０によって操作される給湯機１２との構成イメージを示したブロック図である。図２は、本実施形態の給湯機用リモコン１０の外観図である。給湯機１２は、電気によって水を加熱する公知の電気給湯機である。給湯機１２は、例えば、台所の蛇口等の給湯機１２外部に温水を供給したり、風呂を沸かしたり、風呂の浴槽内の湯温を維持したりする。
【００１２】
給湯機１２は、図１に示すように、温水を貯留する貯湯タンク１２１と、ヒートポンプユニット１２２と、給湯機１２を構成するヒートポンプユニット１２２等の各装置を制御する給湯機制御部１２３とを備えている。給湯機１２では、ヒートポンプユニット１２２によって水が加熱され、それにより得られた温水が貯湯タンク１２１に貯留される。そして、貯湯タンク１２１に貯留された温水は、例えば水道水と混合される等して温度調節されてから、台所の蛇口等の給湯機１２外部に供給される。
【００１３】
また、給湯機１２は、貯湯タンク１２１内の湯温を検出する温度センサなど、一般的な給湯機が有するセンサを備えている。そのセンサからの検出信号は給湯機制御部１２３に逐次入力される。給湯機制御部１２３は、ＣＰＵ、ＲＯＭ、ＲＡＭ等からなる周知のマイクロコンピュータとその周辺回路とから構成された電子制御装置であり、ＲＯＭ等に予め記憶されたコンピュータプログラムに従って、給湯機１２を動作させる種々の制御を実行する。例えば給湯機制御部１２３は、ヒートポンプユニット１２２に水を加熱させ温水を貯湯タンク１２１に貯留させる制御、貯湯タンク１２１内の温水を給湯機１２外部に供給させる制御、風呂のお湯張りを行う制御、浴槽内の湯の保温制御などを実行する。
【００１４】
給湯機用リモコン１０は、ユーザの操作に従って給湯機１２を動作させるための操作装置であり、例えば台所や風呂場等に設置されている。図１及び図２に示すように、給湯機用リモコン１０は、画像を表示する表示部１０１と、給湯機用リモコン１０のユーザである操作者に操作される操作部１０２と、リモコン制御部１０３とを備えている。
【００１５】
表示部１０１は液晶表示装置で構成されており、ユーザに対して種々の画像や数値等を表示する。また、表示部１０１には複数の画面が操作部１０２の操作に応じて択一的に表示される。図２は、その複数の画面のうちの一画面であるエコ画面が表示部１０１に表示されている状態を表している。このエコ画面は、エコキー１０２ｃを押す操作すなわちエコ画面表示操作によって表示され、所定時間表示された後、表示部１０１の表示はエコ画面表示前の元画面に戻る。エコ画面は本発明の所定画面に対応する。表示部１０１の表示は、エコ画面の他に、給湯機１２を操作するための操作用画面、給湯機１２が消費した消費電力量等の給湯機１２に関する情報を表示する情報表示画面などに切り替えられる。
【００１６】
操作部１０２は操作者が押す複数のキーで構成されており、具体的には、４つの方向キー１０２ａと、決定キー１０２ｂと、エコキー１０２ｃとを備えている。また、表示部１０１には、例えば図２の「終了」、「コレクション」、および「ヘルプ」のようにキー画像が表示されることがあり、操作者は、方向キー１０２ａと決定キー１０２ｂとを操作してキー画像を選択することにより、そのキー画像に割り当てられた処理をリモコン制御部１０３に実行させることができる。
【００１７】
図１に示すリモコン制御部１０３は、ＣＰＵ、ＲＯＭ、ＲＡＭ等からなる周知のマイクロコンピュータとその周辺回路とから構成された電子制御装置であり、ＲＯＭ等に予め記憶されたコンピュータプログラムに従って種々の制御処理を実行する。
【００１８】
例えば、操作部１０２からの操作信号がリモコン制御部１０３に入力され、その操作信号が表示部１０１の表示を変更するものであれば、リモコン制御部１０３は、その操作信号に従って表示制御信号を表示部１０１へ出力し表示部１０１にその表示を変更させる。また、操作部１０２からの操作信号が給湯機１２を動作させるものであれば、リモコン制御部１０３は、その操作信号に基づいた給湯機１２の動作を指令する指令信号を給湯機１２の給湯機制御部１２３に出力する。そして、給湯機制御部１２３は、その指令信号を受けると、その指令信号に従った給湯機１２の制御を実行する。また、リモコン制御部１０３は、後述の図７のフローチャートに示す制御も実行する。
【００１９】
また、リモコン制御部１０３には、例えば、操作部１０２からの操作信号、および、給湯機１２が有する温度センサや電力量計などの各検出装置からの検出信号などが逐次入力される。また、リモコン制御部１０３からは、例えば、給湯機１２の動作を指令する指令信号が給湯機１２の給湯機制御部１２３へ出力される。また、表示部１０１に表示させる表示内容を示す表示制御信号が表示部１０１へ出力される。例えば、表示部１０１の表示画像を変更する操作がなされたことを示す操作信号が操作部１０２からリモコン制御部１０３へ入力された場合には、リモコン制御部１０３は、その操作信号に応じた表示制御信号を表示部１０１に出力し、表示部１０１に表示画像を変更させる。
【００２０】
例えば、リモコン制御部１０３は、エコ画面を制御するための変数としてポイントを記憶している。リモコン制御部１０３は、風呂の浴槽内の湯を保温する保温時間を短く設定する操作など、給湯機１２が消費する消費電力量の低減につながる操作が為されるほど、ポイントを加算する。そして、図２に示すように、累積したポイントの大きさを表す棒状の画像１０１ａを表示部１０１のエコ画面内に表示させる。具体的には、その棒状の画像１０１ａに含まれるブロック画像１０１ｂの表示数を、累積したポイントが大きいほど多くする。更に、リモコン制御部１０３は、畑に植えられた豆の画像１０１ｃをエコ画面内に表示させ、累積したポイントが大きいほど豆の画像１０１ｃをより成長した豆を表す画像に切り替える。具体的には、図２のエコ画面は、累積したポイントが小さい場合の表示であり、図３のエコ画面は、累積したポイントが大きい場合の表示である。
【００２１】
また、リモコン制御部１０３は、図１に示すように、ＲＯＭやフラッシュメモリなどの記憶装置で構成された記憶部２２を備えている。また、リモコン制御部１０３は、消費電力量算出手段２４と選択手段２６と表示手段２８とを機能的に備えている。
【００２２】
消費電力量算出手段２４は、予め設定された計測期間内において給湯機１２が消費した消費電力量を算出する。例えば、給湯機１２が有する電力量計から消費電力量を示す信号を得て、上記計測期間にわたって消費電力量を積算することによりその計測期間内の消費電力量を算出する。具体的に、その計測期間は複数種類設けられており、日単位、週単位、月単位、および年単位の期間となっている。すなわち、消費電力量算出手段２４は、一日毎の消費電力量、一週毎の消費電力量、一月毎の消費電力量、および一年毎の消費電力量をそれぞれ算出する。消費電力量算出手段２４が算出した各消費電力量は、他の情報と共に、表示部１０１に表示される情報表示画面の中に表示される。
【００２３】
記憶部２２は、文字および図形の少なくとも何れかを含んで予め定められた複数の表示情報を記憶している。その表示情報とは、表示部１０１に表示される情報であり、本実施形態の表示情報は、文言または図形で構成されている。
【００２４】
具体的に、記憶部２２は、上記表示情報としての複数の文言を複数の文言グループに分けて記憶しており、図４に示すように、その複数の文言は文言マップを構成している。図４では、記憶部２２に記憶されている複数の文言はＡ〜Ｄの４つの文言グループにグループ分けされている。図４の文言マップでは、文言グループ毎に連番で、各文言に文言番号が付されている。また、それぞれの文言が表示部１０１に表示された表示回数が文言毎に関連付けて記憶されている。
【００２５】
図４の文言マップを構成する文言はそれぞれ、表示部１０１の文言表示領域Ａｔｘｔ（図２参照）に表示されるものである。図４の文言マップを構成する複数の文言は文言１、文言２、・・・、文言１０と図４に略して図示されている。
【００２６】
その文言マップを構成する複数の文言としては、例えば、「お湯をこまめに止めると省エネになるね。」、「自動消灯を使うと省エネになるよ。」、「給湯温度を１℃下げると、月２０〜１００円お得になるよ。」、「外出でその日のお湯を使わないなら、湯増し休止を使ってね。」等の給湯機１２の消費エネルギの節約を促す文言、要するに給湯機１２の省エネルギに関連する文言、および、「今日も草むしりがんばろう！」、「今日も水やりがんばろう！」等のその他の文言などがある。また、これら以外に、具体例は示さないが、基本文言、および、給湯機１２のメニュー操作に関連する文言もある。なお、上記湯増し休止とは、貯湯タンク１２１に貯えられている湯量が少量になると自動的に湯を貯湯タンク１２１へ供給するという動作を休止する給湯機１２の動作設定である。
【００２７】
また、各文言グループは文言のカテゴリ毎に分かれている。例えば、文言グループＡには基本的な基本文言が属しており、文言グループＢには給湯機１２の省エネルギに関連する文言が属しており、文言グループＣには給湯機１２のメニュー操作に関連する文言が属しており、文言グループＤには文言グループＡ〜Ｃの何れにも属さないその他の文言が属している。
【００２８】
上記文言を記憶していることと同様に、記憶部２２は、上記表示情報としての複数の図形を複数の図形グループに分けて記憶しており、図５に示すように、その複数の図形は図形マップを構成している。図５では、記憶部２２に記憶されている複数の図形はＡ〜Ｄの４つの図形グループにグループ分けされている。図５の図形マップでは、図形グループ毎に連番で、各図形に図形番号が付されている。また、それぞれの図形が表示部１０１に表示された表示回数が図形毎に関連付けて記憶されている。
【００２９】
図５の図形マップを構成する図形はそれぞれ、表示部１０１の図形表示領域Ａｆｇ（図２参照）に表示されるものである。図５の図形マップを構成する図形は図形１、図形２、・・・、図形１０と図５に略して図示されているが、具体的には、その一部が図２、３の図形表示領域Ａｆｇ内に例示されている。また、上記の文言グループと同様に、各図形グループは図形のカテゴリ毎に分かれている。なお、文言グループおよび図形グループは本発明の表示情報グループに対応する。
【００３０】
また、記憶部２２は、選択手段２６が何れかの文言グループまたは図形グループを選択するために用いるグループ選択用テーブルを予め記憶している。そのグループ選択用テーブルは例えば図６のようになっている。
【００３１】
図６のグループ選択用テーブルは、文言グループの選択と図形グループの選択とに兼用されるテーブルであるので、図６に示すグループは、文言グループの選択の際には文言グループを意味し、図形グループの選択の際には図形グループを意味する。また、図６に示すように、そのグループ選択用テーブルでは、連番で設けられた選択番号０〜９はそれぞれ、文言グループまたは図形グループであるグループＡ〜Ｄの何れかに関連付けられている。すなわち、グループ選択用テーブルにおいて１つの選択番号が選択されれば、複数の文言グループの中から１つの文言グループが選択され、複数の図形グループの中から１つの図形グループが選択される。
【００３２】
図１に示す選択手段２６は、所定操作が為された場合、具体的にはエコキー１０２ｃを押すエコ画面表示操作が為された場合に、予め定められた選択確率ＲＴｉで、記憶部２２に記憶されている複数の表示情報の中から一表示情報を選択する。その一表示情報とは具体的には１つの文言または１つの図形のことである。また、上記選択確率ＲＴｉは複数の表示情報の各々に対して定められている。
【００３３】
詳細に言えば、選択手段２６は、表示情報である文言と図形とをそれぞれ選択する。文言の選択に関して言えば、選択手段２６は、上記エコ画面表示操作が為された場合に、第１乱数を用いて、複数の文言グループの中から予め定められたグループ選択確率ＲＴｇで一文言グループを選択する。そして、第２乱数を用いて、その選択した一文言グループの中から１つの文言すなわち一文言を選択する。
【００３４】
図形の選択についても文言の選択と同様であり、選択手段２６は、上記エコ画面表示操作が為された場合に、第１乱数を用いて、複数の図形グループの中から上記グループ選択確率ＲＴｇで一図形グループを選択する。そして、第２乱数を用いて、その選択した一図形グループの中から１つの図形すなわち一図形を選択する。上記グループ選択確率ＲＴｇは複数の文言グループの各々および複数の図形グループの各々に対して定められている。このように、グループ選択確率ＲＴｇで選択された一文言グループまたは一図形グループの中から一文言または一図形が選択されるので、上記選択確率ＲＴｉは、グループ選択確率ＲＴｇが定められていることによって間接的に定められている確率である。
【００３５】
なお、選択手段２６は、文言グループまたは図形グループを選択する際に、予め定められた図６のグループ選択用テーブルを用いる。これによって、グループ選択確率ＲＴｇは定まる。例えば図６では、０〜９の１０個の選択番号のうち、０〜３の４つの選択番号に対応してグループＡが設定されているので、グループＡが選択されるグループ選択確率ＲＴｇは４／１０となる。また、４〜６の３つの選択番号に対応してグループＢが設定されているので、グループＢが選択されるグループ選択確率ＲＴｇは３／１０となる。このとき、第１乱数は、図６の各選択番号が互いに同じ確率で選択されるように発生させられる。
【００３６】
表示手段２８は、上記エコ画面表示操作がなされた場合に、選択手段２６により選択された上記一文言および一図形を表示部１０１のエコ画面内に表示させる。具体的には、表示手段２８は、文言マップから選択された一文言をエコ画面内の文言表示領域Ａｔｘｔ（図２参照）に表示させ、図形マップから選択された一図形をエコ画面内の図形表示領域Ａｆｇ（図２参照）に表示させる。この選択手段２６と表示手段２８とについて、図７〜９のフローチャートを用いて詳しく説明する。
【００３７】
図７は、リモコン制御部１０３の制御処理を示すフローチャートである。リモコン制御部１０３は、表示部１０１の表示画面をエコ画面に切り替える操作、具体的にはエコキー１０２ｃを押すエコ画面表示操作が為される毎に、図７のフローチャートに示す制御処理を実行する。また、図８は、図７のステップＳ１０１（以下、「ステップ」を省略する）で実行されるサブルーチンであり、図９は、図７のＳ１０４で実行されるサブルーチンである。この図８のＳ１８１〜Ｓ１８４および図９のＳ１９１〜Ｓ１９４は選択手段２６に対応し、図７のＳ１０７は表示手段２８に対応する。
【００３８】
先ず、図７のＳ１０１において、リモコン制御部１０３は、表示部１０１に表示させる表示文言を選択する。詳細には、図８のサブルーチンを実行し、それにより表示文言を選択する。
【００３９】
図８のＳ１８１では第１乱数を発生させる。続くＳ１８２では、その第１乱数を用いて、複数の文言グループの中から一文言グループすなわち表示文言グループを選択する。具体的には、図６のグループ選択用テーブルにおいて、第１乱数の１桁目の数値と一致する選択番号を選択し、その選択した選択番号に対応した文言グループを表示文言グループとして選択する。例えば図６によれば、第１乱数の１桁目の数値が３であれば選択番号３に対応した文言グループＡが選択され、第１乱数の１桁目の数値が９であれば選択番号９に対応した文言グループＤが選択される。その表示文言グループは本発明の一表示情報グループに対応する。Ｓ１８２の次はＳ１８３へ進む。
【００４０】
Ｓ１８３では第２乱数を発生させる。このとき、第２乱数は、後述の図４の各文言番号が互いに同じ確率で選択されるように発生させられる。
【００４１】
続くＳ１８４では、図４の文言マップの中から、Ｓ１８２で選択した表示文言グループの文言マップを選択する。そして、その表示文言グループの文言マップとＳ１８３の第２乱数とを用いて、その表示文言グループに属する複数の文言の中から一文言すなわち表示文言を選択する。具体的には、表示文言グループの文言マップにおいて、第２乱数の１桁目の数値と一致する文言番号（図４参照）を選択し、その選択した文言番号に対応した文言を表示文言として選択する。例えば図４において、表示文言グループが文言グループＡであり第１乱数の１桁目の数値が３であれば、文言３が表示文言として選択される。Ｓ１８４の次は、図７のフローチャートへ戻りＳ１０２へ進む。
【００４２】
なお、記憶部２２に記憶されている複数の文言の全部の中からこのようにして表示文言が選択される選択確率ＲＴｉは、図６のグループ選択用テーブルにおいて表示文言グループが選択されるグループ選択確率ＲＴｇと、表示文言グループの文言マップにおいて表示文言が選択される確率との積になる。
【００４３】
図７のＳ１０２では、Ｓ１０１で選択した表示文言の表示回数を図４の文言マップから取得する。そして、その表示回数が予め定められた表示規定回数Ｍｎ以下であるか否かを判定する。その表示規定回数Ｍｎは、特定の文言だけが頻繁に表示されることを制限するために予め実験的に設定されている。図４の文言マップに記憶されている文言の表示回数は全て、給湯機用リモコン１０の電源がオフにされると初期値である零に戻る。すなわち、給湯機用リモコン１０の電源投入当初において上記表示回数は全て零になっている。
【００４４】
Ｓ１０２において、表示文言の表示回数が表示規定回数Ｍｎ以下であると判定した場合には、Ｓ１０３へ進む。その一方で、表示文言の表示回数が表示規定回数Ｍｎよりも多いと判定した場合には、Ｓ１０１へ進む。
【００４５】
Ｓ１０３では、図４の文言マップに記憶されている表示文言の表示回数を１だけ加算した値に更新する。Ｓ１０３の次はＳ１０４へ進む。
【００４６】
Ｓ１０４において、表示部１０１に表示させる表示図形を選択する。詳細には、図９のサブルーチンを実行し、それにより表示図形を選択する。
【００４７】
図９では、選択されるものが図形である点を除いて図８と同様の処理が行われる。詳細に言うと、先ず、図９のＳ１９１では、前述のＳ１８１と同様に第１乱数を発生させる。続くＳ１９２では、その第１乱数を用いて、複数の図形グループの中から一図形グループすなわち表示図形グループを選択する。具体的には、図６のグループ選択用テーブルにおいて、第１乱数の１桁目の数値と一致する選択番号を選択し、その選択した選択番号に対応した図形グループを表示図形グループとして選択する。その表示図形グループは本発明の一表示情報グループに対応する。Ｓ１９２の次はＳ１９３へ進む。
【００４８】
Ｓ１９３では、前述のＳ１８３と同様に第２乱数を発生させる。続くＳ１９４では、図５の図形マップの中から、Ｓ１９２で選択した表示図形グループの図形マップを選択する。そして、その表示図形グループの図形マップとＳ１９３の第２乱数とを用いて、その表示図形グループに属する複数の図形の中から一図形すなわち表示図形を選択する。具体的には、表示図形グループの図形マップにおいて、第２乱数の１桁目の数値と一致する図形番号（図５参照）を選択し、その選択した図形番号に対応した図形を表示図形として選択する。Ｓ１９４の次は、図７のフローチャートへ戻りＳ１０５へ進む。
【００４９】
図７のＳ１０５では、Ｓ１０４で選択した表示図形の表示回数を図５の図形マップから取得する。そして、その表示回数が予め定められた表示規定回数Ｚｎ以下であるか否かを判定する。その表示規定回数Ｚｎは、特定の図形だけが頻繁に表示されることを制限するために予め実験的に設定されている。このＳ１０５で用いられる表示規定回数Ｚｎは、Ｓ１０２で用いられる表示規定回数Ｍｎと同じ値であっても異なる値であってもよい。図５の図形マップに記憶されている図形の表示回数は全て、文言の表示回数（図４参照）と同様に、給湯機用リモコン１０の電源がオフにされると初期値である零に戻る。
【００５０】
Ｓ１０５において、表示図形の表示回数が表示規定回数Ｚｎ以下であると判定した場合には、Ｓ１０６へ進む。その一方で、表示図形の表示回数が表示規定回数Ｚｎよりも多いと判定した場合には、Ｓ１０４へ進む。
【００５１】
Ｓ１０６では、図５の図形マップに記憶されている表示図形の表示回数を１だけ加算した値に更新する。Ｓ１０６の次はＳ１０７へ進む。
【００５２】
Ｓ１０７では、Ｓ１０１で選択した表示文言とＳ１０４で選択した表示図形とを含むエコ画面を表示部１０１に表示させる。具体的には、表示文言をエコ画面内の文言表示領域Ａｔｘｔ（図２参照）に表示させ、表示図形をエコ画面内の図形表示領域Ａｆｇ（図２参照）に表示させる。エコ画面を表示部１０１に表示させると、そのエコ画面を所定時間表示させた後、表示部１０１の表示をエコ画面表示前の元画面に戻す。そして、本フローチャートは終了する。
【００５３】
なお、上述した図７〜９の各ステップでの処理は、それぞれの機能を実現する手段を構成している。後述の図１２〜１６および図１８でも同様である。
【００５４】
上述したように、本実施形態によれば、選択手段２６は、エコキー１０２ｃを押すエコ画面表示操作が為された場合に、予め定められた選択確率ＲＴｉで複数の表示情報の中から一表示情報を選択し、表示手段２８は、その選択された一表示情報を表示部１０１のエコ画面内に表示させるので、その選択確率ＲＴｉに基づいていろいろな表示情報が表示部１０１に表示され、その表示部１０１のエコ画面に変化を与えその変化を富ませることができる。そして、そのような変化に富んだエコ画面を操作者に見せることにより、操作者が給湯機用リモコン１０に関心を持つようにすることが可能である。更に、操作者が給湯機用リモコン１０に関心を持つようになれば、操作者が給湯機１２の操作に精通するようになり、例えば操作者が給湯機１２の適切な設定操作を容易に行うことができるようになる。このようなことは、操作者の生活パターンなどに合わせて給湯機１２を効率的に運転させることにつながる。
【００５５】
また、本実施形態によれば、記憶部２２は、複数の文言を複数の文言グループに分けて記憶すると共に、複数の図形を複数の図形グループに分けて記憶している。そして、選択手段２６は、上記エコ画面表示操作が為された場合に、複数の文言グループの中から予め定められたグループ選択確率ＲＴｇで一文言グループを選択し、その選択した一文言グループの中から１つの文言すなわち表示文言を選択する。それと共に、複数の図形グループの中から予め定められたグループ選択確率ＲＴｇで一図形グループを選択し、その選択した一図形グループの中から１つの図形すなわち表示図形を選択する。従って、個々の文言および図形が選択される選択確率ＲＴｉを、文言グループ毎に異なるように設定することが容易である。
【００５６】
また、本実施形態によれば、選択手段２６に選択される複数の文言の中には、給湯機１２の消費エネルギの節約を促す文言が含まれているので、給湯機１２の運転において省エネルギを促すことができる。
【００５７】
（第２実施形態）
次に、本発明の第２実施形態について説明する。本実施形態では、前述の第１実施形態と異なる点を主として説明し、第１実施形態と同一または均等な部分については省略または簡略化して説明する。後述の第３実施形態でも同様である。
【００５８】
図１０は、本実施形態の給湯機用リモコン１０と給湯機１２との構成イメージを示したブロック図である。図１０に示すように、本実施形態の給湯機用リモコン１０のリモコン制御部１０３は、選択確率変更手段３０を機能的に備えているという点において第１実施形態と異なっている。
【００５９】
図１０の記憶部２２は、第１実施形態と同様に、図４の文言マップおよび図５の図形マップを記憶している。しかし、図６のように１つのグループ選択用テーブルではなく、図１１のように複数のグループ選択用テーブルを記憶している。この点が第１実施形態と異なっている。例えば記憶部２２は、図１１に示すように、Ｎ個のグループ選択用テーブルを記憶している。図１１は、本実施形態において文言グループおよび図形グループが選択される際に用いられる予め設定されたグループ選択用テーブルである。
【００６０】
図１１に示す個々のグループ選択用テーブルは、図６のグループ選択用テーブルと同様の構成となっている。但し、図１１では、複数のグループ選択用テーブルの相互間において、各選択番号に対応するグループ（具体的には、文言グループと図形グループ）が異なっている。
【００６１】
例えば、図１１のグループ選択用テーブル１では４つの選択番号０〜３に対応してグループＡが設定されており、グループ選択用テーブル２では３つの選択番号０、７、９に対応してグループＡが設定されている。従って、全グループＡ〜Ｄの中からグループＡが選択されるグループ選択確率ＲＴｇは、グループ選択用テーブル１が用いられれば４／１０になり、グループ選択用テーブル２が用いられれば３／１０になる。このように、リモコン制御部１０３は、図１１の複数のグループ選択用テーブルの中から何れのグループ選択用テーブルを採用するかによって、グループ選択確率ＲＴｇを変更することができる。
【００６２】
選択確率変更手段３０は、給湯機１２の使い方と、給湯機１２が消費した消費エネルギ量と、表示部１０１の表示画面がエコ画面に切り替えられた時の季節または日時とのそれぞれに応じて、グループ選択確率ＲＴｇを変更する。具体的には、選択確率変更手段３０は、図１１の複数のグループ選択用テーブルの中で、選択手段２６が文言グループおよび図形グループを選択するために用いるグループ選択用テーブルを上記給湯機１２の使い方等に応じて切り替える。これによりグループ選択確率ＲＴｇを変更する。
【００６３】
なお、給湯機１２の使い方に応じてとは、例えば後述の運転モードをお湯使いきりモードに設定する操作および給湯機１２の運転休止を設定する操作など、給湯機１２の操作に応じてということである。
【００６４】
また、給湯機１２の消費エネルギ量は、本実施形態の給湯機１２が電気給湯機であるので消費電力量で表すことができる。また、その消費エネルギ量は、給湯機１２が排出する二酸化炭素排出量で表されてもよい。従って、給湯機１２の消費エネルギ量に応じてとは、例えば給湯機１２の消費電力量または二酸化炭素排出量に応じてということである。
【００６５】
また、季節に応じてとは、春夏秋冬の何れかに応じてということである。また、日時に応じてとは、朝昼夜の何れかに応じてということであってもよいし、誕生日や結婚記念日などの特定の日が来たことに応じてということであってもよい。
【００６６】
上記の選択確率変更手段３０について、図１２〜１６のフローチャートを用いて詳しく説明する。
【００６７】
図１２〜１４は、本実施形態のリモコン制御部１０３の制御処理を示すフローチャートであり、第１実施形態の図７に相当する。第１実施形態と同様に、リモコン制御部１０３は、エコ画面表示操作が為される毎に、図１２〜１４のフローチャートに示す制御処理を実行する。また、図１５は、図１４のＳ２２１で実行されるサブルーチンであり、第１実施形態の図８に相当する。図１６は、図１４のＳ２２２で実行されるサブルーチンであり、第１実施形態の図９に相当する。
【００６８】
この図１５のＳ１８１〜Ｓ１８４および図１６のＳ１９１〜Ｓ１９４は選択手段２６に対応し、図１４のＳ１０７は表示手段２８に対応する。また、図１２〜１３のＳ２０１〜Ｓ２２０、図１５のＳ２８１、および図１６のＳ２９１は、選択確率変更手段３０に対応する。なお、以下のフローチャートの説明では第１実施形態と異なる点を説明するが、第１実施形態の図７〜９と比較して同一符号のステップは第１実施形態と同じ内容であるので、その説明を省略する。
【００６９】
先ず、図１２のＳ２０１では、給湯機１２の運転モードを設定するユーザ操作すなわち運転モード設定操作が為されたか否かを判定する。ユーザ操作とは、ユーザが操作部１０２に対して行う操作である。給湯機１２の運転モードとしては、お湯使いきりモードとおまかせモードとが択一的に選択される。すなわち、運転モードをお湯使いきりモード又はおまかせモードに設定する操作があった場合に、運転モード設定操作が為されたと判定する。
【００７０】
お湯使いきりモードとは、貯湯タンク１２１内の温水が使い切られてからヒートポンプユニット１２２で湯を沸かすモードである。その一方で、おまかせモードとは、逐次算出される所定の期間内での使用湯量に基づき貯湯タンク１２１内の温水が無くならないように自動的にヒートポンプユニット１２２で湯を沸かすモードである。このような両運転モードの差異から、給湯機１２のエネルギ消費を低減するためには、給湯機１２はお湯使いきりモードで運転される方が好ましい。
【００７１】
Ｓ２０１において、運転モード設定操作が為されたと判定した場合には、Ｓ２０２へ進む。その一方で、運転モード設定操作が為されていないと判定した場合には、Ｓ２０４へ進む。
【００７２】
Ｓ２０２では、運転モード設定操作によって設定された運転モードすなわち設定後の運転モードがお湯使いきりモードであるか否かを判定する。Ｓ２０２において、設定後の運転モードがお湯使いきりモードであると判定した場合には、Ｓ２０３へ進む。その一方で、設定後の運転モードがお湯使いきりモードではないと判定した場合、すなわち、おまかせモードであると判定した場合には、Ｓ２０４へ進む。
【００７３】
Ｓ２０３では、第１指標値Ｐ１を１だけ加算する。第１指標値Ｐ１は、給湯機用リモコン１０の電源がオフにされると初期値である零に戻る。このことは、後述する第２〜４指標値Ｐ２、Ｐ３、Ｐ４についても同様である。Ｓ２０３の次はＳ２０４へ進む。
【００７４】
Ｓ２０４では、給湯機１２の運転を休止させる運転休止を設定し或いはその運転休止を解除するユーザ操作すなわち運転休止設定操作が為されたか否かを判定する。例えば、操作者は、給湯機１２が設置されている自宅を数日間にわたって留守にする場合に運転休止設定操作を行い給湯機１２の運転休止を設定することがある。
【００７５】
Ｓ２０４において、運転休止設定操作が為されたと判定した場合には、Ｓ２０５へ進む。その一方で、運転休止設定操作が為されていないと判定した場合には、Ｓ２０７へ進む。
【００７６】
Ｓ２０５では、運転休止設定操作によって給湯機１２の運転休止が設定されたか否かを判定する。Ｓ２０５において、給湯機１２の運転休止が設定されたと判定した場合には、Ｓ２０６へ進む。その一方で、給湯機１２の運転休止が設定されていないと判定した場合には、Ｓ２０７へ進む。
【００７７】
Ｓ２０６では、第１指標値Ｐ１を１だけ加算する。Ｓ２０６の次はＳ２０７へ進む。
【００７８】
Ｓ２０７では、現在の日付が誕生日であるか否かを判定する。詳細に言えば、リモコン制御部１０３は日付および時刻を刻むカレンダ機能を備えており、そのカレンダ機能より、現在の日付が誕生日であるか否かを判定する。その誕生日は、操作者によって予め登録されている登録日時の１つであり、給湯機用リモコン１０は、操作者が複数の登録日時を設定登録できるようになっている。
【００７９】
Ｓ２０７において、現在の日付が誕生日であると判定した場合には、Ｓ２０８へ進む。その一方で、現在の日付が誕生日ではないと判定した場合には、Ｓ２０９へ進む。
【００８０】
Ｓ２０８では、第２指標値Ｐ２を３だけ加算する。Ｓ２０８の次はＳ２０９へ進む。
【００８１】
Ｓ２０９では、現在の日付が結婚記念日であるか否かを判定する。この結婚記念日も、誕生日と同様に上記登録日時の１つである。Ｓ２０９において、現在の日付が結婚記念日であると判定した場合には、Ｓ２１０へ進む。その一方で、現在の日付が結婚記念日ではないと判定した場合には、Ｓ２１１（図１３参照）へ進む。
【００８２】
Ｓ２１０では、第２指標値Ｐ２を２だけ加算する。Ｓ２１０の次は図１３のＳ２１１へ進む。
【００８３】
図１３のＳ２１１では、給湯機１２の消費電力量が第１判定値Ｘ０１以上であるか否かを判定する。例えば、一日毎の消費電力量と第１判定値Ｘ０１を比較することでＳ２１１での判定は行われ、最新の一日毎の消費電力量は前日の消費電力量であるので、詳細に言うと、Ｓ２１１では、前日の消費電力量が第１判定値Ｘ０１以上であるか否かを判定する。
【００８４】
Ｓ２１１において、消費電力量が第１判定値Ｘ０１以上であると判定した場合には、Ｓ２１７へ進む。その一方で、消費電力量が第１判定値Ｘ０１未満であると判定した場合には、Ｓ２１２へ進む。
【００８５】
Ｓ２１２では、給湯機１２の消費電力量が第２判定値Ｘ０２以上であるか否かを判定する。このＳ２１２で判定対象となる消費電力量は、Ｓ２１１と同じように前日の消費電力量である。Ｓ２１２において、消費電力量が第２判定値Ｘ０２以上であると判定した場合には、Ｓ２１３へ進む。その一方で、消費電力量が第２判定値Ｘ０２未満であると判定した場合には、Ｓ２１４へ進む。
【００８６】
Ｓ２１３では、第３指標値Ｐ３を１だけ加算する。Ｓ２１３の次はＳ２１７へ進む。
【００８７】
Ｓ２１４では、給湯機１２の消費電力量が第３判定値Ｘ０３以上であるか否かを判定する。このＳ２１４で判定対象となる消費電力量は、Ｓ２１１と同じように前日の消費電力量である。Ｓ２１４において、消費電力量が第３判定値Ｘ０３以上であると判定した場合には、Ｓ２１５へ進む。その一方で、消費電力量が第３判定値Ｘ０３未満であると判定した場合には、Ｓ２１６へ進む。
【００８８】
なお、上記第１判定値Ｘ０１、第２判定値Ｘ０２、および第３判定値Ｘ０３は、予め実験的に設定された閾値である。そして、第１判定値Ｘ０１は第２判定値Ｘ０２よりも大きく設定され、第２判定値Ｘ０２は第３判定値Ｘ０３よりも大きく設定されている。
【００８９】
Ｓ２１５では、第３指標値Ｐ３を２だけ加算する。Ｓ２１５の次はＳ２１７へ進む。また、Ｓ２１６では、第３指標値Ｐ３を３だけ加算する。Ｓ２１６の次はＳ２１７へ進む。
【００９０】
Ｓ２１７では、現在の日付が季節の秋として予め設定されている期間内に入っているか否かを判定する。例えば、給湯機用リモコン１０において、春夏秋冬のそれぞれに該当する期間が予め設定されている。そして、秋に該当する期間として９〜１１月が設定されているのであれば、Ｓ２１７では、現在の日付が９〜１１月の期間内に入っているか否かを判定する。
【００９１】
Ｓ２１７において、現在の日付が秋として予め設定されている期間内に入っていると判定した場合には、Ｓ２１８へ進む。その一方で、現在の日付がその期間内に入っていないと判定した場合には、Ｓ２１９へ進む。
【００９２】
Ｓ２１８では、第４指標値Ｐ４を３だけ加算する。Ｓ２１８の次はＳ２１９へ進む。
【００９３】
Ｓ２１９では、現在の時刻が朝として予め設定されている時間内に入っているか否かを判定する。例えば、給湯機用リモコン１０において、朝、昼、夜のそれぞれに該当する時間が予め設定されている。そして、朝に該当する時間として午前７〜９時が設定されているのであれば、Ｓ２１９では、現在の時刻が午前７〜９時の時間内に入っているか否かを判定する。Ｓ２１９において、現在の時刻が朝として予め設定されている時間内に入っていると判定した場合には、Ｓ２２０へ進む。その一方で、現在の時刻がその時間内に入っていないと判定した場合には、Ｓ２２１（図１４参照）へ進む。
【００９４】
Ｓ２２０では、第４指標値Ｐ４を２だけ加算する。Ｓ２２０の次は図１４のＳ２２１へ進む。
【００９５】
図１４のＳ２２１では、図７のＳ１０１と同様に、表示部１０１に表示させる表示文言を選択する。但し、Ｓ２２１では、Ｓ１０１と異なり、図１５のサブルーチンを実行する。図１５のサブルーチンから戻ると、図１４のＳ１０２へ進む。なお、Ｓ１０２において、表示文言の表示回数が表示規定回数Ｍｎよりも多いと判定した場合には、Ｓ２２１へ戻る。
【００９６】
図１５のＳ２８１では、図１１に示す複数のグループ選択用テーブルの中から、Ｓ１８２で表示文言グループを選択するために用いるグループ選択用テーブルを選択する。そのグループ選択用テーブルの選択は、予め設定されているテーブル選択条件に従い、第１〜４指標値Ｐ１、Ｐ２、Ｐ３、Ｐ４に基づいて行われる。
【００９７】
そのテーブル選択条件の内容に特に制限はなく、例えばテーブル選択条件は、各指標値Ｐ１、Ｐ２、Ｐ３、Ｐ４に対してそれぞれ異なるグループ選択用テーブルが予め関連付けられており、各指標値Ｐ１、Ｐ２、Ｐ３、Ｐ４の中で最大値となっている指標値に関連付けられているグループ選択用テーブルが選択されるという条件であってもよい。
【００９８】
或いは、テーブル選択条件は、下記式（１）によって各指標値Ｐ１、Ｐ２、Ｐ３、Ｐ４の関数としてテーブル指定変数ＮＴが算出され、そのテーブル指定変数ＮＴと一致するテーブル番号のグループ選択用テーブルが選択されるという条件であってもよい。そのような条件である場合には、テーブル指定変数ＮＴは、記憶部２２に記憶されているグループ選択用テーブルのテーブル番号１〜Ｎと同じ範囲内で変更される。例えば、テーブル指定変数ＮＴが２であれば図１１のグループ選択用テーブル２が選択される。
【００９９】
ＮＴ＝ｆ（Ｐ１，Ｐ２，Ｐ３，Ｐ４）  ・・・（１）
Ｓ２８１でグループ選択用テーブルが選択されると、その後に実行されるＳ１８２において、Ｓ２８１で選択されたグループ選択用テーブルが用いられ、それにより、複数の文言グループの中から表示文言グループが選択される。
【０１００】
すなわち、Ｓ１８２で採用されるグループ選択用テーブルが決まれば定まるグループ選択確率ＲＴｇは、給湯機１２の使い方に応じて加算される第１指標値Ｐ１と、季節または日時に応じて加算される第２、第４指標値Ｐ２、Ｐ４と、給湯機１２の消費エネルギ量に応じて加算される第３指標値Ｐ３とのそれぞれに応じて変更される。
【０１０１】
図１４に戻り、Ｓ１０３に続くＳ２２２では、図７のＳ１０４と同様に、表示部１０１に表示させる表示図形を選択する。但し、Ｓ２２２では、Ｓ１０４と異なり、図１６のサブルーチンを実行する。図１６のサブルーチンから戻ると、図１４のＳ１０５へ進む。なお、Ｓ１０５において、表示図形の表示回数が表示規定回数Ｚｎよりも多いと判定した場合には、Ｓ２２２へ戻る。
【０１０２】
図１６のＳ２９１では、上述のＳ２８１と同様にしてグループ選択用テーブルを選択する。すなわち、図１１に示す複数のグループ選択用テーブルの中から、Ｓ１９２で表示図形グループを選択するために用いるグループ選択用テーブルを選択する。このとき用いられるテーブル選択条件は、Ｓ２８１のものと同じであってもよいし異なっていてもよい。
【０１０３】
Ｓ２９１でグループ選択用テーブルが選択されると、その後に実行されるＳ１９２において、Ｓ２９１で選択されたグループ選択用テーブルが用いられ、それにより、複数の図形グループの中から表示図形グループが選択される。
【０１０４】
上述したように、本実施形態によれば、本実施形態のフローチャートは第１実施形態のフローチャートに対し更にステップを付加したものであるので、第１実施形態と同様の効果を得ることができる。
【０１０５】
また、本実施形態によれば、複数の文言グループの中から一文言グループを選択するグループ選択確率ＲＴｇと、複数の図形グループの中から一図形グループを選択するグループ選択確率ＲＴｇとのそれぞれが、給湯機１２の使い方と、給湯機１２の消費エネルギ量と、表示部１０１の表示画面がエコ画面に切り替えられた時の季節または日時とに応じて変更されるので、表示部１０１に表示される文言および図形が操作者によって予想され難くなり、操作者の給湯機用リモコン１０に対する関心を高めることができる。
【０１０６】
また、本実施形態によれば、図１１に示すグループ選択用テーブルはそれぞれ、複数のグループ（具体的には文言グループまたは図形グループ）の各々に対して１又は２以上の選択番号が関連付けられたものである。図１５のＳ１８２では、グループ選択用テーブルにおいて１つの選択番号が選択され、これにより表示文言グループが選択される。そして、その表示文言グループが選択されるグループ選択確率ＲＴｇは、Ｓ１８２で用いられるグループ選択用テーブルが図１５のＳ２８１にて変更されることによって変更される。従って、Ｓ１８２で用いられるグループ選択用テーブルを切り替えることで、容易にグループ選択確率ＲＴｇを変更することができる。このことは図形グループの選択においても同様である。
【０１０７】
（第３実施形態）
次に、本発明の第３実施形態について説明する。本実施形態では、前述の第１実施形態と異なる点を主として説明する。
【０１０８】
図１７は、本実施形態の給湯機用リモコン１０と給湯機１２との構成イメージを示したブロック図である。図１７に示すように、本実施形態の給湯機用リモコン１０のリモコン制御部１０３は、選択確率設定手段３２を機能的に備えているという点において第１実施形態と異なっている。
【０１０９】
選択確率設定手段３２は、グループ選択確率ＲＴｇを設定変更するユーザ操作である確率設定操作があった場合には、その確率設定操作に従ってグループ選択確率ＲＴｇを設定変更する。すなわち、本実施形態では、第１実施形態とは異なり、グループ選択確率ＲＴｇはユーザによって予め定められる。この選択確率設定手段３２について、図１８のフローチャートを用いて詳しく説明する。
【０１１０】
図１８は、本実施形態のリモコン制御部１０３の制御処理を示すフローチャートであり、第１実施形態の図７に相当する。第１実施形態と同様に、リモコン制御部１０３は、エコ画面表示操作が為される毎に、図１８のフローチャートに示す制御処理を実行する。また、図１８のＳ１０１では第１実施形態と同様に図８のサブルーチンが実行され、図１８のＳ１０４では第１実施形態と同様に図９のサブルーチンが実行される。図１８のＳ３０１およびＳ３０２は選択確率設定手段３２に対応する。
【０１１１】
なお、以下のフローチャートの説明では第１実施形態と異なる点を説明するが、第１実施形態の図７と比較して同一符号のステップは第１実施形態と同じ内容であるので、その説明を省略する。
【０１１２】
先ず、図１８のＳ３０１では、グループ選択確率ＲＴｇを設定変更する確率設定操作があったか否かを判定する。Ｓ３０１において、確率設定操作があったと判定した場合には、Ｓ３０２へ進む。その一方で、確率設定操作が為されていないと判定した場合には、Ｓ１０１へ進む。
【０１１３】
Ｓ３０２では、記憶部２２に記憶されている図６のグループ選択用テーブルを、確率設定操作により入力された内容に従って変更することにより、グループ選択確率ＲＴｇを設定する。具体的には、各グループＡ〜Ｄのそれぞれに対応する選択番号の数を変更することにより、グループ選択確率ＲＴｇを設定する。
【０１１４】
例えば、複数のグループＡ〜Ｄの中からグループＡを選択するグループ選択確率ＲＴｇを３／１０とし、グループＢを選択するグループ選択確率ＲＴｇを４／１０とし、グループＣを選択するグループ選択確率ＲＴｇを２／１０とし、グループＤを選択するグループ選択確率ＲＴｇを１／１０とする内容の確率設定操作が為された場合には、図６のグループ選択用テーブルは、１０個の選択番号０〜９のうち、３つの選択番号がグループＡに対応し、４つの選択番号がグループＢに対応し、２つの選択番号がグループＣに対応し、１つの選択番号がグループＤに対応するように設定変更される。具体例を示せば、図１１のグループ選択用テーブル２のように設定変更される。Ｓ３０２の次はＳ１０１へ進む。
【０１１５】
上述したように、本実施形態によれば、本実施形態のフローチャートは第１実施形態のフローチャートに対し更にステップを付加したものであるので、第１実施形態と同様の効果を得ることができる。
【０１１６】
また、本実施形態によれば、グループ選択確率ＲＴｇはユーザによって予め定められるので、エコ画面にユーザの好みを反映させることができる。
【０１１７】
（他の実施形態）
（１）上述の第１、第３実施形態において、給湯機１２は電気給湯機であるが、ガスや石油など電気以外を加熱用エネルギ源とする給湯機であっても差し支えない。
【０１１８】
（２）上述の各実施形態において、給湯機用リモコン１０は、給湯機１２を動作させるための操作装置であるが、他の機能を備えていても構わない。例えば、給湯機用リモコン１０は、家庭の電力等のエネルギマネジメント機能を備えたＨＥＭＳ（home energy management system）に、給湯機を操作するための給湯機用リモコンの機能が付加されたものであってもよい。
【０１１９】
（３）上述の各実施形態において、記憶部２２に記憶されている複数の表示情報は各々、文言または図形の何れかであるが、文言と図形との両方を含むものであってもよいし、文言および図形以外の単なる模様などであってもよい。また、その表示情報は、データ形式に特に限定はなく、例えば画像データ形式で記憶されていてもよいし、文言であればテキストデータ形式で記憶されていてもよい。
【０１２０】
（４）上述の第１実施形態において、図６のグループ選択用テーブルは、文言グループの選択と図形グループの選択とに兼用されるテーブルであるが、それぞれの選択用に別個のグループ選択用テーブルが設けられていても差し支えない。このことは他の実施形態においても同様である。
【０１２１】
（５）上述の第２実施形態において、図１２〜１４のフローチャートはＳ２０１からＳ２２０を備えているが、全てのステップが必須というわけではない。例えば、Ｓ２０１〜Ｓ２０６のステップと、Ｓ２０７〜Ｓ２１０のステップと、Ｓ２１１〜Ｓ２１６のステップと、Ｓ２１７〜Ｓ２２０のステップとのうちの何れかを備えていなくても差し支えない。
【０１２２】
（６）上述の各実施形態において、図７、図１２〜１４、および図１８のフローチャートはＳ１０２、Ｓ１０３、Ｓ１０５、およびＳ１０６を備えているが、それらＳ１０２、Ｓ１０３、Ｓ１０５、およびＳ１０６を備えていなくても差し支えない。
【０１２３】
（７）上述の各実施形態において、グループ選択確率ＲＴｇは、図６または図１１のグループ選択用テーブルが用いられることにより定まるものであるが、グループ選択確率ＲＴｇは予め定められていればよく、グループ選択用テーブルによって定まる必要はない。
【０１２４】
（８）上述の第２実施形態において、誕生日等の登録日時は操作者が予め登録したものであるが、操作者によって登録される必要はなく、例えば、給湯機用リモコン１０の製造工程において予め登録されても差し支えない。
【０１２５】
（９）上述の各実施形態において、給湯機用リモコン１０の表示部１０１と操作部１０２とは別個の装置で構成されているが、別個の装置である必要はない。例えば、表示部１０１と操作部１０２とが１つのタッチパネルディスプレイによって構成されていても差し支えない。
【０１２６】
（１０）上述の各実施形態において、選択手段２６は、表示文言グループを選択し、次にその表示文言グループに属する複数の文言の中から表示文言を選択するが、表示文言グループの選択をせずに、記憶部２２に記憶されている複数の文言全部の中から表示文言を直接選択しても差し支えない。図形の選択についても同様である。
【０１２７】
（１１）上述の各実施形態において、記憶部２２に記憶されている複数の文言は、カテゴリ毎にグループ分けされているが、どのようにグループ分けされていても構わない。図形のグループ分けについても同様である。
【０１２８】
（１２）上述の各実施形態において、リモコン制御部１０３と給湯機制御部１２３とは各々別個の制御装置として構成されているが、リモコン制御部１０３と給湯機制御部１２３とが一体として１つの制御装置を構成していても差し支えない。
【０１２９】
（１３）上述の各実施形態において、図７〜９、図１２〜１６、および図１８のフローチャートに示す各ステップの処理はコンピュータプログラムによって実現されるものであるが、ハードロジックで構成されるものであっても差し支えない。
【０１３０】
なお、本発明は上記した実施形態に限定されるものではなく、特許請求の範囲に記載した範囲内において適宜変更が可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【符号の説明】
【０１３１】
１０        給湯機用リモコン
１０１      表示部
１２        給湯機
２２        記憶部
２６        選択手段
２８        表示手段
【図１】
2015068589.tif 000003
【図２】
2015068589.tif 000004
【図３】
2015068589.tif 000005
【図４】
2015068589.tif 000006
【図５】
2015068589.tif 000007
【図６】
2015068589.tif 000008
【図７】
2015068589.tif 000009
【図８】
2015068589.tif 000010
【図９】
2015068589.tif 000011
【図１０】
2015068589.tif 000012
【図１１】
2015068589.tif 000013
【図１２】
2015068589.tif 000014
【図１３】
2015068589.tif 000015
【図１４】
2015068589.tif 000016
【図１５】
2015068589.tif 000017
【図１６】
2015068589.tif 000018
【図１７】
2015068589.tif 000019
【図１８】
2015068589.tif 000020